(57)【要約】【課題】照明装置において、昼光等の外光の入射状況に応じて自動的に明るさ下限値が変更され、外光の入射によるフィードバック制御への影響を低減でき、ユーザが煩わしい設定作業を行う必要がないようにし、使い勝手を向上させる。【解決手段】照明装置１は、照明負荷部２と、照度センサ部３と、制御部４と、記憶部５とを備えている。制御部４は、照度センサ部２からの信号に基いて、照明負荷２１の調光レベルを設定された変化幅内で変化させることで被照射面４０の照度をフィードバック制御する。制御部４は、外光が入射して調光レベルが明るさ下限値となるように制御を行い、そのままの調光レベルで一定時間経過したとき、明るさ下限値を調光下限の例えば１．５倍の値に自動的に変更し、調光レベルをその変更された明るさ下限値まで上昇させるように制御する。これにより、必要な照度が確保される。【選択図】図１
2006269352.tif 000002
【特許請求の範囲】
【請求項１】
照明負荷を点灯させる照明負荷部と、前記照明負荷の被照射面の照度を検知する照度センサ部と、前記被照射面の照度が略一定になるように、前記照度センサ部の検知出力に応じて前記照明負荷の光出力の値を所定の変化幅内でフィードバック制御する制御部と、を備えた照明装置において、
前記制御部は、前記照明負荷の光出力の値が、前記変化幅の下限値（以下、明るさ下限値とする）となるように所定時間制御を行ったとき、この明るさ下限値を変更し、この照明負荷の光出力の値が変更した明るさ下限値となるように制御することを特徴とする照明装置。
【請求項２】
照明負荷を点灯させる照明負荷部と、前記照明負荷の被照射面の照度を検知する照度センサ部と、前記被照射面の照度が略一定になるように、前記照度センサ部の検知出力に応じて前記照明負荷の光出力の値を所定の変化幅内でフィードバック制御する制御部と、前記照度センサ部に外光が入射されることを所定の条件を満たしたかどうか判別することにより検出する外光検出手段と、を備えた照明装置において、
前記制御部は、前記外光検出手段が外光が入射されたことを検出したとき、前記変化幅の下限値を変更し、フィードバック制御を行うことを特徴とする照明装置。
【請求項３】
照明負荷を点灯させる照明負荷部と、前記照明負荷の被照射面の照度を検知する照度センサ部と、前記被照射面の照度が略一定になるように、前記照度センサ部の検知出力に応じて前記照明負荷の光出力の値を所定の変化幅内でフィードバック制御する制御部と、を備えた照明装置において、
前記制御部は、前記変化幅の下限値をフィードバック制御の基準となる値に応じて決定し、フィードバック制御を行うことを特徴とする照明装置。
【発明の詳細な説明】
【技術分野】
【０００１】
本発明は照明装置に関するものであり、より詳しくは、照度センサを有し、照度センサにより被照射面の反射光を検知して照明負荷の光出力を制御するフィードバック制御を行う照明装置に関するものである。
【背景技術】
【０００２】
従来、照度センサにより照明負荷の被照射面の照度（以下、照度とする）を検出し、この照度が所定の照度で略一定となるように、照明負荷の光出力の値（以下、調光レベルという）をフィードバック制御して照明負荷を点灯させる照明装置が知られている。このような照明装置では、例えば照度センサが室内の窓際に設置されている場合等、照度センサの取り付け位置によっては昼光等の外光がこの照度センサに直接入射することがある。このようなときには、照度センサの検出する照度が被照射面の実際の照度よりも高くなり、照明負荷の調光レベルが必要な調光レベルよりも小さくなるように制御されてしまい、被照射面の照度が十分には確保されずに暗いままとなることがある。一般に、目の順応を考慮すると、外光が入射される環境においては、照明負荷の調光レベルを高めて照度を高めることでグレアを防ぐようにすることが望ましく、このように被照射面が暗くなってしまうような制御は問題となる。
【０００３】
このような問題を改善するための技術を用いた照明装置としては、例えば特許文献１に記載されているような照明装置が知られている。この照明装置は、照度センサが検出した照度値から外光の影響による照度値を算出するものであり、この外光の照度値を補正した照度値と照明負荷による照度値とを加算した照度値が所定の照度となるようにフィードバック制御を行う。
【０００４】
ところで、上述の特許文献１に記載の技術では、照度値の算出や補正を行う処理が複雑となるが、より簡易的に上記問題を解決することを図って、照明負荷の光出力の変化幅の下限値（以下、明るさ下限値とする）を、照明負荷が光出力可能な最下限値（調光下限）以上の値に設定した照明装置が利用されている。この明るさ下限値は、照明装置の設置後にユーザによって設定されるものである。この照明装置は、照明負荷の調光レベルが明るさ下限値よりも下回ることがないようにフィードバック制御が行われることで、照度センサに外光が直接入射するようなときにも照明負荷による一定の大きさの照度が確保されるように構成されている。
【０００５】
図１２（ａ）及び（ｂ）を用いて、このように明るさ下限値が設定された照明装置の動作について説明する。図１２（ａ）に示されるように、室内に外光が入射するとフィードバック制御により調光レベルが下げられる。入射する外光が強くなると、さらに調光レベルが下げられる。ここで、外光が被照射面に入射するのではなく、照度センサに入射していると、実際の照度は確保されていないことになる。そこで、上述の照明装置においては、図１２（ｂ）に示されるように、明るさ下限値が調光下限よりも高い位置となるように設定されている。このように明るさ下限値が設定されているので、外光が入射されたときにも調光レベルはこの明るさ下限値までしか下げられない。これにより、明るさ下限値と調光下限とが等しい場合に比べて外光入射時の調光レベルが大きくなり、一定の大きさの照度が確保される。
【特許文献１】特開２００４−３０３６６３号公報
【発明の開示】
【発明が解決しようとする課題】
【０００６】
しかしながら、このように明るさ下限値を照明装置設置後に設定する作業は容易に行えるような作業ではなく、また煩わしいものとなる。明るさ下限値の設定作業が煩わしい作業であるため、実使用上においては、例えばユーザが机上面（被照射面）が暗いことを感じていながらも設定作業を行わずにそのままで使用したり、又は施工業者等に依頼して設定作業を行わせたりしており、使い勝手が良くないものである。
【０００７】
また、明るさ下限値を上述のように調光下限より高い値に固定すると、一定の照度を得ることは可能となるが、一方で調光レベルの制御可能な範囲を狭めることになる。つまり、被照射面に外光が入射するとき等、被照射面の照度が実際に高くなったときには、例えば図４（ｂ）の矢印で示す範囲において、設定した明るさ下限値以下には照明負荷の光出力値を変化させることができなくなる。そのため、被照射面を必要以上に明るく照明してしまうことになる。
【０００８】
本発明は、上記問題点を解決するためになされたものであり、昼光等の外光の入射状況に応じて自動的に明るさ下限値が変更されることで、外光の入射によるフィードバック制御への影響を低減でき、ユーザが煩わしい設定作業を行う必要がなく、使い勝手が向上した照明装置を提供することを目的とする。
【課題を解決するための手段】
【０００９】
上記目的を達成するため請求項１の発明は、照明負荷を点灯させる照明負荷部と、前記照明負荷の被照射面の照度を検知する照度センサ部と、前記被照射面の照度が略一定になるように、前記照度センサ部の検知出力に応じて前記照明負荷の光出力の値を所定の変化幅内でフィードバック制御する制御部と、を備えた照明装置において、前記制御部は、前記照明負荷の光出力の値が、前記変化幅の下限値（以下、明るさ下限値とする）となるように所定時間制御を行ったとき、この明るさ下限値を変更し、この照明負荷の光出力の値が変更した明るさ下限値となるように制御するものである。
【００１０】
請求項２の発明は、照明負荷を点灯させる照明負荷部と、前記照明負荷の被照射面の照度を検知する照度センサ部と、前記被照射面の照度が略一定になるように、前記照度センサ部の検知出力に応じて前記照明負荷の光出力の値を所定の変化幅内でフィードバック制御する制御部と、前記照度センサ部に外光が入射されることを所定の条件を満たしたかどうか判別することにより検出する外光検出手段と、を備えた照明装置において、前記制御部は、前記外光検出手段が外光が入射されたことを検出したとき、前記変化幅の下限値を変更してフィードバック制御を行うものである。
【００１１】
請求項３の発明は、照明負荷を点灯させる照明負荷部と、前記照明負荷の被照射面の照度を検知する照度センサ部と、前記被照射面の照度が略一定になるように、前記照度センサ部の検知出力に応じて前記照明負荷の光出力の値を所定の変化幅内でフィードバック制御する制御部と、を備えた照明装置において、前記制御部は、前記変化幅の下限値をフィードバック制御の基準となる値に応じて決定し、フィードバック制御を行うものである。
【発明の効果】
【００１２】
請求項１の発明によれば、明るさ下限値が、照明負荷の光出力値が所定時間明るさ下限値となるように制御されたときに自動的に変更されるので、照度センサ部に外光が入射される状況下においても必要な照度を確保することが可能となり、また、ユーザが明るさ下限値を設定する煩わしい作業を行う必要がなく、照明装置の使い勝手が向上する。
【００１３】
請求項２の発明によれば、明るさ下限値が、外光検出手段が外光が入射されたことを検出したときに自動的に変更されるので、外光の入射状況に応じて必要な照度を確保することが可能となり、また、上述と同様に、ユーザが煩わしい作業を行う必要がなく、照明装置の使い勝手が向上する。
【００１４】
請求項３の発明によれば、明るさ下限値が、フィードバック制御の基準値に応じて決定されるので、上述と同様に、ユーザが煩わしい作業を行う必要がなく、また、外光が入射されても必要な照度を確保することが可能となり、照明装置の使い勝手が向上する。
【発明を実施するための最良の形態】
【００１５】
以下、本発明の第１乃至第３の実施形態について図面を参照して説明する。図１及び図２は、本発明の第１の実施形態に係る照明装置１を示す。この照明装置１は、例えばオフィスなど室内の天井面５０等に取り付けられてその室内を照明するものであり、照明負荷２１及び負荷制御部２２を有する照明負荷部２と、照度センサ部３と、制御部４と、記憶部５とを備えている。照明負荷部２は、負荷制御部２２が電源を制御して照明負荷２１を点灯させるものである。本実施形態においては、照明負荷部２は天井面５０の４箇所に設けられており、照明対象となる机上面等の被照射面４０に向けて光（図１の下向きの白矢印）を放射する。照度センサ部３、制御部４、記憶部５はともに１つの照明コントローラ６内に収められており、被照射面４０の直上付近にあたる天井面５０に設けられている。なお、この室内には窓６０が設けられており、この窓６０を通して外光が室内に入射する場合がある。この照明装置１は、後述するように照度センサ部３からの信号に基いて制御部４が負荷制御部２２をフィードバック制御して、被照射面４０の照度（以下、照度とする）が予め設定された目標照度となるように照明負荷２１を調光して点灯させる。
【００１６】
照度センサ部３は受光素子（図示なし）とこの受光素子の検知電圧信号を制御部４へ増幅出力する増幅器（図示なし）とを有している。この受光素子は例えばフォトダイオード等であって、所定の受光エリア３０からの光を受光するものである。この受光素子は、被照射面４０がこの受光エリア３０内に入るようにして照明コントローラ６に取り付けられ、被照射面４０からの反射光（図１の上向きの白矢印）を受光可能とされている。増幅器は、受光素子の検知電圧信号を増幅する電気回路を有している。照度センサ部３はこの増幅器によって増幅された検知電圧信号を制御部４へ出力するように構成されている。
【００１７】
制御部４は照度センサ部３から入力される検知電圧信号を変換して電圧値とするＡ／Ｄ変換部（図示なし）を有している。制御部４はこの電圧値に基いてフィードバック制御を行い、例えばＰＷＭ波形制御信号等の制御信号を発生して負荷制御部２２を制御するように構成されている。記憶部５はＥＥＰＲＯＭ等により構成されており、制御部４と接続されて動作する。この記憶部５は、例えば制御部４が行うフィードバック制御に用いられる目標値（基準となる値）等、種々の設定内容を記憶するのに用いられる。
【００１８】
記憶部５には、例えば照明装置１が部屋等に設置されたとき等に初期設定が行われることで、フィードバック制御に用いられる目標値が記憶されている。この初期設定は、例えば、外光が入射しない状態にて照度が目標照度となるように照明負荷２１を調光させて行われる。照度が目標照度となると、制御部４は、その時の照度センサ部３から入力された検知電圧信号の電圧値をフィードバック制御の目標値として記憶部５に記憶させる。また、このときの照明負荷２１の光出力の値（以下、調光レベルとする）も目標光出力値として同様に記憶部５に記憶される。
【００１９】
次に、この照明装置１の制御部４が行うフィードバック制御について説明する。このフィードバック制御は、制御部４が照度センサ部３からの検知電圧信号を基に照明負荷部２の負荷制御部２２を制御することで行われる。照明装置１の照明負荷２１が点灯されて被照射面４０で反射した反射光は、照度センサ部３の受光素子によって検知される。この受光素子の検知電圧信号は、増幅器により増幅された後に制御部４に入力され、Ａ／Ｄ変換部により電圧値とされる。制御部４は、記憶部５から上述のようにして予め記憶されている目標値を読み出し、電圧値と目標値の比較を行う。そして、制御部４は電圧値が目標値と等しくなるように照明負荷２１の調光レベルを変化させる。照明負荷２１の調光レベルの変化は、照明負荷部２の負荷制御部２２に制御信号を出力することによって行われる。
【００２０】
図３は、制御部４がフィードバック制御を行うことにより調光される照明負荷２１の調光レベルのとり得る値範囲である所定の変化幅の一例を示す。制御部４は照明負荷２１の調光レベルを上述のようにフィードバック制御するとき、図に示されるように、調光レベルが所定の変化幅内となるように制御する。本実施形態において、変化幅の下限値は初期状態では照明負荷２１の光出力可能な最下限値（以下、調光下限とする）に設定されている。
【００２１】
ここで、本実施形態において、制御部４は照明負荷２１の調光レベルが変化幅の下限値（以下、明るさ下限値）となるように所定時間制御を行ったとき、明るさ下限値を自動的に変更させる。この動作を図４（ａ）及び（ｂ）を用いて説明する。
【００２２】
図４（ａ）において、破線は明るさ下限値の推移を示す。この照明装置１は、外光が室内に入射していないときには、調光レベルが目標光出力値となるようにフィードバック制御されている。外光が入射されて照度センサ部３の検知電圧信号の電圧値が大きくなるような照度変化があると、制御部４はフィードバック制御を行い、電圧値を目標値に保つため調光レベルを低下させる。そして、外光の入射する強さが継続して徐々に強くなってくると調光レベルが明るさ下限値である調光下限に達し、その後はそのままの調光レベルで制御が継続される。調光レベルが明るさ下限値に達すると、外光の入射強さが大きくなるにつれて電圧値が目標値よりも上昇する。なお、本実施形態では、調光下限は、例えば照明負荷２１の調光レベルの最大値の２５％の値に設定されている。
【００２３】
ここで、制御部４は、調光レベルが明るさ下限値となったとき（時刻ｔ１とする）から時限を開始し、時刻ｔ１から例えば一時間経過すると、その時点（時刻ｔ２とする）での電圧値（センサ値Ａ）を記憶部５に記憶させる。そして、この時に、明るさ下限値を調光下限の１．５倍の値に変更する。明るさ下限値を変更すると、制御部４はフィードバック制御を一旦停止し、照明負荷２１の調光レベルが変更された明るさ下限値となるように調光レベルを上昇させる。なお、このとき、例えば１８秒かけて１％の割合で調光レベルを上昇させるようなフェード動作を行うようにして急激な照度変化を起さないように出力を上昇させるとよい。このように調光レベルの制御が行われて、時刻ｔ３に調光レベルが明るさ下限値となると、制御部４はその時の電圧値（センサ値Ｂ）を記憶部５に記憶させる。ここで、センサ値Ｂからセンサ値Ａを減算した値は、照明負荷２１の調光レベルを時刻ｔ２から時刻ｔ３まで上昇させたことによって増加した照度と対応する電圧値となる。
【００２４】
その後、外光の入射する強さ等が変化して照度センサ部３から入力される検知電圧信号の電圧値（センサ値Ｃとする）がセンサ値Ｂより低くなったとき（時刻ｔ４とする）、制御部４は外光の入射強さが弱くなって照度が暗く変化したと判断し、フィードバック制御を再開し、明るさ下限値を初期値である調光下限に再設定する。
【００２５】
なお、本実施形態において、照明負荷部２の負荷制御部２２の安定器等の出力が設定可能なものであれば、初期状態における明るさ下限値が、負荷制御部２２の設定をおこなった時点で、その設定内容に応じて自動的に切り替わるものであってもよい。また、上述の時刻ｔ１から時刻ｔ２までの時間は、１時間に限らず、他の時間であったり、また、ユーザがリモコン等を操作すること等によって変更できるように構成されていてもよい。さらに、時刻ｔ２に再設定される明るさ下限値は調光下限の１．５倍の値に限らず、目標光出力値以下であれば他の値でもよい。ただし、この明るさ下限値は照明装置が設置される場所における外光が影響する程度を考慮したうえで決定されるのが望ましい。
【００２６】
このように、明るさ下限値が、照明負荷の調光レベルが所定時間明るさ下限値となるように制御されたときに自動的に変更されるので、照度センサ部に外光が入射される状況下においても、必要な照度を確保することが可能となり、また、ユーザが明るさ下限値を設定する煩わしい作業を行う必要がなく、照明装置の使い勝手が向上する。
【００２７】
ここで、図５（ａ）及び（ｂ）に示されるように、制御部４が、時刻ｔ３後にセンサ値Ｃがセンサ値Ａよりも低くなったときにフィードバック制御を再開し、明るさ下限値を初期値である調光下限に再設定するような構成であってもよい。図５（ａ）において、破線は明るさ下限値の推移を示す。このとき、センサ値Ｃがセンサ値Ｂより低くなったときにフィードバック制御を再開する場合と比べると制御再開が遅くなるが、目標値よりも高いセンサ値Ａの電圧値が入力されているときには必要な照度を確保している状態であるので、特に問題にはならない。
【００２８】
また、図６（ａ）及び（ｂ）に示されるように、制御部４が、時刻ｔ３後にセンサ値Ｃが目標値よりも低くなったときにフィードバック制御を再開し、明るさ下限値を初期値である調光下限に再設定するような構成であってもよい。図６（ａ）において、破線は明るさ下限値の推移を示す。センサ値Ｃが目標値よりも低くなるときは外光による影響がほとんどない状態である。よって、この時点でフィードバック制御が再開されると、調光レベルが大きくなるように制御されることで電圧値が目標値と等しくなるようにフィードバック制御される。このとき、センサ値Ｃが、センサ値Ｂ又はセンサ値Ａより低くなったときにフィードバック制御を再開する場合と比べると制御再開が遅くなるため、制御部４はフィードバック制御を行うときの電圧値を読み込む速度（以下、フィードバック速度とする）を通常よりも速くすることにより、電圧値が目標値となるまでの時間、つまり照度が目標照度となるまでの時間を早めるように制御する。電圧値が目標値に達すると、フィードバック速度は通常の速さに戻される。このように、センサ値Ｃが目標値も低くなったときにフィードバック制御を再開する場合には、調光レベルは調光下限に戻されることなく、外光の入射が弱い状態のフィードバック制御時の調光レベルとされ、照度は十分に確保されることとなる。
【００２９】
図７は、本発明の第２の実施形態に係る照明装置の構成を示す。以下の各実施形態において、上述の実施形態と同様のものは同一の符号を付し、上述の実施形態と相違する部分についてのみ説明する。この照明装置は、上記第１の実施形態の照明装置１に、外光検出手段７及び設定部８を加えたような構成とされている。外光検出手段７は、例えば時計機能を有しており、所定の条件となったときに照度センサ部３に外光が入射されることを判別する。外光検出手段７は照明コントローラ６内に収納されている。また、設定部８は、例えばユーザが操作可能なリモコン等であって、無線又は有線により制御部４と通信可能とされている。ユーザが、この設定部８を操作することにより、この照明装置１の各種設定を行うことが可能となるように構成されている。
【００３０】
外光検出手段７の時計機能は、例えば１日の中で外光が入射する時間帯が予め設定されているようなものである。例えば、この照明装置１がオフィスに設定されているとする。このオフィスでは、就業時間が例えば９時乃至１７時であって、このオフィスに外光が入射する時間帯が、例えば９時乃至１５時半であるとする。このとき、この時間帯が外光検出手段７の時計機能に設定されており、時刻が設定された時間帯内となる条件を満たせば、外光検出手段７は照度センサ部３に外光が入射されているとみなす。
【００３１】
図８は、上述のように外光検出手段７が時計機能を有しているような照明装置１の動作を示す。図８において、破線は明るさ下限値の推移を示す。本実施形態においては、外光検出手段７が外光が入射されることを判別したときに、制御部４が明るさ下限値を変更する。明るさ下限値は、時刻が予め設定された時間帯外であれば調光下限と同じ値に設定され、時刻が設定された時間帯内であれば例えば調光下限の１．５倍の値に設定される。
【００３２】
例えば、時刻が深夜から朝となり、外光の影響によりオフィス内が少しずつ明るくなるとすると、フィードバック制御により調光レベルが目標光出力値より下げられる。そして、時刻が９時（時刻ｔ１とする）となり、設定された時間帯内となると、制御部４が明るさ下限値を調光下限の１．５倍の値に変更する。明るさ下限値が変更されると、上述の第１の実施形態と同様に、制御部４は変更された明るさ下限値に基いてフィードバック制御を行う。これにより、外光が入射したときにも調光下限の１．５倍の調光レベルが確保されることになる。そして、時刻が１５時半（時刻ｔ２とする）となり設定された時間帯外となると、制御部４は明るさ下限値を調光下限と同じ値に再設定する。なお、明るさ下限値が変更されたとき、つまり、時刻ｔ１及び時刻ｔ２において、調光レベルはフェード動作により変化されるようにされている。
【００３３】
このように、明るさ下限値が、外光検出手段７が外光が入射されたことを検出したときに自動的に変更されるので、外光が入射しても、必要な照度を確保することが可能となる。また、ユーザが煩わしい作業を行う必要がなく、照明装置の使い勝手が向上する。
【００３４】
ここで、外光検出手段７は、カレンダー機能を有しているものでもよい。カレンダー機能は、予め設定された日付及びこの照明装置１が設置された地域情報（中部地区、近畿地区等）等に基いて、日の出時刻及び日の入り時刻を算出する。これにより、外光検出手段７は、例えば日の出時刻から日の入時刻までの時間帯を外光が入射する時間帯とみなし、制御部４は上述のように明るさ下限値を変更する動作を行う。また、外光検出手段７は、時計機能の計時する時間帯と日の出時刻から日の入時刻までの時間帯とが設定されて外光が入射する時間帯を判断するようにしてもよい。これは、例えば、時刻が日の出時刻以降且つ９時以降となったときに外光が入射する時間帯が始まり、日の入時刻又は１５時半のいずれか早い時刻となったときに外光が入射する時間帯が終わるとして外光が入射する時間帯を判断する。このような外光検出手段７のカレンダー機能は、日の出時刻及び日の入時刻を算出するだけではなく、それぞれの時刻について進み時間、遅れ時間等を設定できるような自由度の高い機能であってもよい。これにより、設置場所や季節の違い等にも柔軟に対応可能となる。
【００３５】
外光検出手段７は、天候切り替え機能を有しているものでもよい。この天候切り替え機能は、晴れモードであるときには外光が入射するとみなし、曇り／雨モードであるときには外光が入射しないと判断するものである。つまり、制御部４は、晴れモードであるか、曇り／雨モードであるかに応じて、上述のように明るさ下限値を変更する動作を行う。この天候切り替え機能は、切り替えスイッチにより晴れモードと曇り／雨モードを切り替えられるようにされており、切り替えスイッチは、ユーザによる操作により切り替えられるか、又は、温度・湿度等を検知することで自動的に判断して切り替えられるものである。このような外光検出手段７は、天候切り替え機能と上述の時計機能を有しているものでもよく、晴れモードであり、時刻が時計機能に設定された時間帯内であるとき、外光が入射するとみなすような構成であってもよい。
【００３６】
また、外光検出手段７は、外光が入射されたことを検知する昼光センサを有するものであってもよい。図９（ａ）及び（ｂ）は、このような外光検出手段７を有する照明装置１の動作を示す。昼光センサは閾値を有しており、図９（ｂ）に示されるように、外光が入射されて昼光センサの検知信号が閾値を上回ったとき（時刻ｔ１とする）に、外光検出手段７は外光が入射されたと判断し、昼光センサの検知信号が閾値を下回ったとき（時刻ｔ２とする）に、外光が入射されなくなったと判断する。つまり、この外光検出手段７は、時刻ｔ１から時刻ｔ２まで外光が入射されていると判断する。外光検出手段７の判断に応じて、上述と同様に、制御部４は時刻ｔ１に制御部４が明るさ下限値を調光下限の１．５倍の値に変更する。明るさ下限値が変更されると、制御部４はその明るさ下限値に基いて調光レベルをフィードバック制御する。そして、時刻ｔ２になると、明るさ下限値が調光下限と同じ値に再設定される。
【００３７】
なお、本実施形態においても、時刻ｔ２に再設定される明るさ下限値は目標光出力値以下であれば、上述とは他の値とすることが可能である。ただし、この明るさ下限値は照明装置が設置される場所における外光が影響する程度を考慮したうえで決定されるのが望ましい。また、時刻ｔ１から時刻ｔ２まで明るさ下限値が通常時から変更されているとき、制御部４はフィードバック制御を停止して調光レベルが変更された明るさ下限値と同じ値となるように制御するような構成であってもよく、同様に必要な照度を確保可能となる。
【００３８】
図１０は、本発明の第３の実施形態に係る照明装置１の動作を示す。本実施形態においては、照明装置１は上記第１の実施形態と同様の構成であるが、明るさ下限値が、設定された目標値に応じて決定されている点が上記実施形態と相違する。
【００３９】
本実施形態において、明るさ下限値は、設定されている目標値に予め設定された倍率を乗算して算出される電圧値に応じて決定される。例えば、照度センサの電圧値は０Ｖ乃至５Ｖの値であるとき、この倍率は、目標値が２Ｖ未満であるとき、２Ｖ以上３Ｖ未満であるとき、３Ｖ以上であるとき、に分けて設定されており、それぞれ、１．５倍、１．２倍、１．１倍に設定されている。このとき、例えば目標値が２．５Ｖであれば、明るさ下限値を決定する電圧値は、２．５Ｖの１．２倍である３．０Ｖと算出される。
【００４０】
この照明装置１に外光が入射されると、図に示されるように、制御部４は、照度センサ部３の検知電圧信号の電圧値が目標値の２．５Ｖを超えて３．０Ｖになるまで、徐々に調光レベルを下降させるフィードバック制御を行う。そして、電圧値が３．０Ｖ以上になったとき、その時点（時刻ｔ１とする）の調光レベルが明るさ下限値とされて、それ以降電圧値が上昇してもこの明るさ下限値より調光レベルを下げないようにする。そして、外光の入射状況が変化して電圧値が３．０Ｖ以下となったとき（時刻ｔ２とする）、制御部４はフィードバック制御により調光レベルを変化させる。
【００４１】
ここで、本実施形態においては、目標値の範囲に応じて倍率を設定し、目標値にその倍率を乗算することにより求めた電圧値を明るさ下限値を決定するものとしているが、この電圧値は、例えば目標値の範囲に応じて予め定められた固定値であってもよい。また、本実施形態においては、図１１（ａ）及び（ｂ）に示されるように、上述のように照度センサ部３の検知電圧信号の電圧値が３．０Ｖとなった時刻ｔ１に調光レベルがすでにその時の明るさ下限値である調光下限であったときには、上述の第１の実施形態と同様の制御を行ってもよい。つまり、制御部４が時刻ｔ１から所定時間そのままフィードバック制御を継続させた後、明るさ下限値を調光下限の１．５倍の値に変更して、調光レベルをその変更された明るさ下限値まで上昇させるように制御する。図１１（ａ）において、破線は明るさ下限値の推移を示す。
【００４２】
上述のようにして明るさ下限値がフィードバック制御の目標値に応じて決定されるので、ユーザが煩わしい作業を行う必要がなく、また、外光が入射されても必要な照度を確保することが可能となり、照明装置の使い勝手が向上する。
【００４３】
なお、本発明は上記実施形態の構成に限定されるものではなく、発明の範囲を変更しない範囲で適宜に種々の変形が可能である。例えば、上述の各明るさ下限値を変更させる動作の設定等を、ユーザが設定部８を操作することなどにより変更することができるようなものであってもよい。また、上述の各実施形態において、通常のフィードバック制御が行われているときの明るさ下限値は、調光下限に限らず、他の値であってもよい。
【００４４】
また、この照明装置１は、上述のそれぞれの明るさ下限値を変更する方法を組み合わせて同時に利用し、その条件を満たしたときに明るさ下限値を変更することにより、必要な照度を確保するように構成してもよい。例えば、上述の第２の実施形態の、外光検出手段７として昼光センサを利用した照明装置１において、外光検出手段７が外光が入射していないと判断しているときには、上述の第１の実施形態に述べたような調光レベルの制御を行うように構成してもよい。これにより、外光が入射してきたときにより確実に必要な照度を確保できるようにすることが可能となる。
【図面の簡単な説明】
【００４５】
【図１】本発明の第１の実施形態に係る照明装置の構成を説明する図。
【図２】同上照明装置の構成を示すブロック図。
【図３】同上照明装置における調光レベルの変化幅を説明する図。
【図４】（ａ）は同上照明装置の調光レベルの制御の一例を示す図、（ｂ）はその時の電圧値を示す図。
【図５】（ａ）は同上照明装置の調光レベルの制御の別例を示す図、（ｂ）はその時の電圧値を示す図。
【図６】（ａ）は同上照明装置の調光レベルの制御のさらに別の例を示す図、（ｂ）はその時の電圧値示す図。
【図７】本発明の第２の実施形態に係る照明装置の構成を示すブロック図。
【図８】同上照明装置の調光レベルの制御の一例を説明する図。
【図９】（ａ）は同上照明装置の調光レベルの制御の別例を示す図、（ｂ）はその時の昼光センサの動作を示す図。
【図１０】（ａ）は本発明の第３の実施形態に係る照明装置の調光レベルの制御の一例を示す図、（ｂ）はその時の電圧値を示す図。
【図１１】（ａ）は本発明の第３の実施形態に係る照明装置の調光レベルの制御の別例を示す図、（ｂ）はその時の電圧値を示す図。
【図１２】（ａ）は従来の照明装置の調光レベルの制御の一例を示す図、（ｂ）はその制御の別例を示す図。
【符号の説明】
【００４６】
１  照明装置
２  照明負荷部
３  照度センサ部
４  制御部
７  外光検出手段
２１  照明負荷
４０  被照射面
【図１】
2006269352.tif 000003
【図２】
2006269352.tif 000004
【図３】
2006269352.tif 000005
【図４】
2006269352.tif 000006
【図５】
2006269352.tif 000007
【図６】
2006269352.tif 000008
【図７】
2006269352.tif 000009
【図８】
2006269352.tif 000010
【図９】
2006269352.tif 000011
【図１０】
2006269352.tif 000012
【図１１】
2006269352.tif 000013
【図１２】
2006269352.tif 000014